(57)【特許請求の範囲】
【請求項１】
光源ユニットと、前記光源ユニットを支持する器具本体と、前記器具本体を回転可能に支持する支持部材と、保護カバーとを有し、
前記光源ユニットは、複数個の固体発光素子と、前記複数個の固体発光素子が実装される実装基板と、前記実装基板の前記固体発光素子の実装面と反対側の面に熱的に結合される放熱部材とを備え、前記放熱部材は、前面に前記実装基板が取り付けられるベース部と、前記ベース部の後面から後方に突出する複数の放熱板とを有し、
前記支持部材は、構造物に固定される固定板と、前記固定板から立ち上がる一対のアーム片とを有し、
前記器具本体は、前記一対のアーム片の先端部に設けられる回転軸をそれぞれ回転可能に支持する一対の軸受け部を有し、
前記保護カバーは、少なくとも前記放熱板と前記一対のアーム片との間に配置され、かつ、前記回転軸の軸方向に沿って前記軸受け部と重なるように構成されることを特徴とする照明器具。
【請求項２】
前記保護カバーは、前記回転軸の周方向に沿って前記軸受け部の周囲を囲むように構成されることを特徴とする請求項１記載の照明器具。
【発明の詳細な説明】
【技術分野】
【０００１】
本発明は、照明器具に関し、より詳細には、投光照明に用いられるのに好適な照明器具に関する。
【背景技術】
【０００２】
従来例として、特許文献１記載のＬＥＤ式投光器を例示する。特許文献１記載のＬＥＤ式投光器（以下、従来例と呼ぶ）は、複数のＬＥＤが配設された基板と、基板に密着固定されるヒートシンクと、基板が設けられる投光器本体と、投光器本体を支持する支持体と、ヒートシンクを覆うカバーとを有する。
【０００３】
ヒートシンクは、前面に基板が固定されるヒートシンク本体と、ヒートシンク本体の後面側に設けられる複数のフィン（放熱板）とを有する。
【０００４】
支持体は、板金が折り曲げられることでＵ字状に形成される。支持体の両端に貫通孔が設けられている。支持体は、両端の貫通孔に挿通される固定ネジによってヒートシンク本体の側面に回転可能にねじ止めされる。
【０００５】
カバーは、支持体と対向するフィンを覆うようにヒートシンク本体に取り付けられてフィンを保護している。
【先行技術文献】
【特許文献】
【０００６】
【特許文献１】特開２０１４−１６４８３２号公報
【発明の概要】
【発明が解決しようとする課題】
【０００７】
ところで、上記従来例では、支持体を器具本体に固定している固定ネジがカバーの外に突出してはみ出している。このため、上記従来例が横に並べて設置された場合、隣り合う器具本体同士に、固定ネジの突出量の２倍以上の間隔が空いてしまうので、見栄えもよくないし、設置スペースの縮小化が困難でもある。
【０００８】
本発明は、上記課題に鑑みてなされており、見栄えの向上と設置スペースの縮小化を図ることを目的とする。
【課題を解決するための手段】
【０００９】
本発明の照明器具は、光源ユニットと、前記光源ユニットを支持する器具本体と、前記器具本体を回転可能に支持する支持部材と、保護カバーとを有し、前記光源ユニットは、複数個の固体発光素子と、前記複数個の固体発光素子が実装される実装基板と、前記実装基板の前記固体発光素子の実装面と反対側の面に熱的に結合される放熱部材とを備え、前記放熱部材は、前面に前記実装基板が取り付けられるベース部と、前記ベース部の後面から後方に突出する複数の放熱板とを有し、前記支持部材は、構造物に固定される固定板と、前記固定板から立ち上がる一対のアーム片とを有し、前記器具本体は、前記一対のアーム片の先端部に設けられる回転軸をそれぞれ回転可能に支持する一対の軸受け部を有し、前記保護カバーは、少なくとも前記放熱板と前記一対のアーム片との間に配置され、かつ、前記回転軸の軸方向に沿って前記軸受け部と重なるように構成されることを特徴とする。
【発明の効果】
【００１０】
本発明の照明器具は、見栄えの向上と設置スペースの縮小化を図ることができるという効果がある。
【図面の簡単な説明】
【００１１】
【図１】本発明に係る照明器具の分解斜視図である。
【図２】図２Ａは本発明に係る照明器具の前方から見た斜視図、図２Ｂは本発明に係る照明器具の後方から見た斜視図である。
【図３】本発明に係る照明器具の一部省略した分解斜視図である。
【図４】本発明に係る照明器具の一部省略した断面図である。
【図５】本発明に係る照明器具における器具本体の背面図である。
【図６】本発明に係る照明器具における器具本体を示し、図６Ａは正面図、図６Ｂは平面図、図６Ｃは左側面図、図６Ｄは右側面図である。
【図７】本発明に係る照明器具の一部省略した斜視図である。
【図８】本発明に係る照明器具の一部省略した正面図である。
【図９】図９Ａは本発明に係る照明器具の平面図、図９Ｂは本発明に係る照明器具の背面図である。
【発明を実施するための形態】
【００１２】
本実施形態に係る照明器具Ａについて、図面を参照して詳細に説明する。本実施形態に係る照明器具Ａは、主に、サッカースタジアムや各種の競技場、学校の運動場などを照明（投光照明）する用途に用いられる投光器である。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１３】
本実施形態に係る照明器具Ａは、図１、図２Ａ、図２Ｂ及び図３に示すように、複数（図示例では４つ）の光源ユニット１と、器具本体２とを有する。また、本実施形態に係る照明器具Ａは、パネルユニット３、支持部材４、保護カバー５、結線ボックス６などを有することが好ましい。なお、以下の説明においては、特に断りの無い限り、図１において前後、左右、上下の各方向を規定する。すなわち、器具本体２に対してパネルユニット３側を前、器具本体２に対して保護カバー５側を後、器具本体２に対して支持部材４側を下、器具本体２に対して支持部材４と反対側を上とする。さらに、パネルユニット３を正面から見て、左側を左、右側を右とする。
【００１４】
光源ユニット１は、図１に示すように、２つのＬＥＤモジュール１０、放熱ブロック１１、２つのレンズブロック１２、防水パッキン１３、２つの押さえ金具１４などを備える。ＬＥＤモジュール１０は、複数個（図示例では１１個）のＬＥＤ（発光ダイオード）１００と、矩形平板状の実装基板１０１と、複数（図示例では２つ）の速結端子台１０２とを有する（図３参照）。ＬＥＤ１００は、例えば、白色光を放射する白色発光ダイオードである。実装基板１０１は、例えば、アルミ又はアルミ合金製の基板の表面に絶縁膜を介して導電体（銅箔）が形成されたアルミ基板で構成されることが好ましい。複数個のＬＥＤ１００は、実装基板１０１の表面（実装面）に実装され、かつ、実装面に形成される導電体によって電気的に直列接続されることが好ましい。２つの速結端子台１０２は、実装基板１０１の実装面に実装され、かつ、複数個のＬＥＤ１００の直列回路の両端と各別に電気的に接続される。ここで、２つの速結端子台１０２は、電線が差し込み接続される方向（速結端子台１０２の長手方向）を、実装基板１０１の長手方向（上下方向）に対して傾けるようにして実装基板１０１の表面に実装されることが好ましい。ただし、１枚の実装基板１０１に実装されるＬＥＤ１００の個数は１１個に限定されない。
【００１５】
放熱ブロック１１は、ベース部１１０と、複数枚（図示例では１８枚）の放熱板１１１と、複数本（図示例では１０本）のヒートパイプ１１２とを有する（図３参照）。ベース部１１０は、アルミ又はアルミ合金によって矩形の平板状に形成されることが好ましい。ベース部１１０の前面に、２つのＬＥＤモジュール１０がねじ止めによって取り付けられる（図４参照）。放熱板１１１は、アルミ又はアルミ合金によって矩形の薄板状に形成されることが好ましい。これら複数枚の放熱板１１１は、厚み方向を左右方向に一致させて、互いに間隔を空けて並び、かつ、ベース部１１０の後面から後方へ突出するように形成されている。ヒートパイプ１１２は、Ｕ字形状に形成される。ヒートパイプ１１２の一端側がベース部１１０の後面に半分ほど埋め込まれるように接合される（図４参照）。また、ヒートパイプ１１２の他端側は、複数枚の放熱板１１１を貫通するように構成される（図３参照）。つまり、複数個のＬＥＤ１００が発する熱は、実装基板１０１からベース部１１０へと伝わり、さらに、ヒートパイプ１１２によって放熱板１１１に伝導されて放熱される。
【００１６】
レンズブロック１２は、アクリル樹脂やポリカーボネート樹脂などの透光性を有する合成樹脂材料により、本体１２０と複数（図示例では１１個）のレンズ１２１とが一体に形成されることが好ましい（図１参照）。本体１２０は、矩形の平板状に形成される。レンズ１２１は、本体１２０の後面に、上下及び左右に並べて一体に形成される。ただし、これら複数個のレンズ１２１は、本体１２０の後面において、ＬＥＤモジュール１０の複数個のＬＥＤ１００と一対一に対応する位置に配置される（図４参照）。
【００１７】
防水パッキン１３は、シリコーンゴムなどの電気絶縁性を有する弾性材料によって矩形の枠状に形成されることが好ましい（図１及び図３参照）。また、防水パッキン１３は、後面に形成される凹所１３０に、放熱ブロック１１のベース部１１０を嵌め込むように構成される（図４参照）。
【００１８】
押さえ金具１４は、押さえ片１４０及び固定片１４１と、押さえ片１４０と固定片１４１を連結する連結片１４２とを有する。押さえ片１４０は、帯状に形成される。連結片１４２は、押さえ片１４０の長手方向に沿った一方の端縁から押さえ片１４０の厚み方向の一方の向きに立ち上がるように形成される。固定片１４１は、連結片１４２の長手方向に沿った端縁から押さえ片１４０と逆向きに立ち上がるように形成される（図１及び図４参照）。また、固定片１４１の長手方向における両端に、それぞれ円形のねじ挿通孔１４１０が設けられる（図１参照）。なお、押さえ金具１４は、ステンレス鋼板などの金属板が曲げ加工されることで押さえ片１４０、固定片１４１及び連結片１４２を一体に形成して構成されることが好ましい。
【００１９】
器具本体２は、図５及び図６Ａ〜図６Ｄに示すように、枠部２０、第１固定部２１、仕切壁２２Ａ、２２Ｂ、補強部２３Ａ、２３Ｂ、第２固定部２４、第３固定部２５、第４固定部２６、軸受け部２７などを有する。枠部２０は、アルミ又はアルミ合金により、扁平な角筒状に形成される。なお、以下の説明においては、枠部２０の上側の側壁を上側壁２００、下側の側壁を下側壁２０１、左側の側壁を左側壁２０２、右側の側壁を右側壁２０３と呼ぶ。
【００２０】
上側壁２００には、逆Ｕ字状のハンドル２０００が設けられる（図５参照）。このハンドル２０００は、人の手で握り易い大きさに形成されることが好ましい。また、上側壁２００の左右方向の中央に、円形のケーブル挿通孔２００１と、一対のねじ孔２００２とが設けられる。一対のねじ孔２００２は、ケーブル挿通孔２００１の左右両隣にそれぞれ設けられる（図６Ｂ参照）。さらに、上側壁２００には、４つのねじ孔２００３が左右方向に間隔を空けて並ぶように設けられる（図６Ｂ参照）。なお、下側壁２０１における左右方向の中央にも、上側壁２００と同様に円形のケーブル挿通孔と、一対のねじ孔とが設けられる。さらに、下側壁２０１にも、４つのねじ孔が左右方向に間隔を空けて並ぶように設けられる
仕切壁は、上側壁２００に平行な第１仕切壁２２Ａと、下側壁２０１に平行な第２下側壁２２Ｂとを有する。ただし、第１仕切壁２２Ａと第２仕切壁２２Ｂの間には、第１仕切壁２２Ａと上側壁２００及び第２仕切壁２２Ｂと下側壁２０１のそれぞの間隔よりも狭い空間（開口）２２０が設けられている（図５及び図６Ａ参照）。なお、この空間２２０の左右方向の中央には、第１仕切壁２２Ａと第２仕切壁２２Ｂに跨がる、薄板状の補強壁２２１が設けられることが好ましい。
【００２１】
ここで、上側壁２００と第１仕切壁２２Ａに挟まれた領域に２つの光源ユニット１が左右方向に並べて配置される。同様に、下側壁２０１と第２仕切壁２２Ｂに挟まれた領域に残り２つの光源ユニット１が左右方向に並べて配置される（図３参照）。そして、これら２つの領域の左右方向の中央には、上側壁２００と第１仕切壁２２Ａに跨がる第１補強部２３Ａと、下側壁２０１と第２仕切壁２２Ｂに跨がる第２補強部２３Ｂとがそれぞれ設けられることが好ましい（図５及び図６Ａ参照）。ここで、上側壁２００と第１仕切壁２２Ａと第１補強部２３Ａと左側壁２０２に囲まれた孔を第１窓孔２０４と呼び、上側壁２００と第１仕切壁２２Ａと第１補強部２３Ａと右側壁２０３に囲まれた孔を第２窓孔２０５と呼ぶ。また、下側壁２０１と第２仕切壁２２Ｂと第２補強部２３Ｂと左側壁２０２に囲まれた孔を第３窓孔２０６と呼び、下側壁２０１と第２仕切壁２２Ｂと第２補強部２３Ｂと右側壁２０３に囲まれた孔を第４窓孔２０７と呼ぶ。
【００２２】
第１固定部２１は、図５及び図６Ｂに示すように、上側壁２００及び下側壁２０１の外側の側面に、それぞれ４つずつ設けられる。また、第１仕切壁２２Ａ及び第２仕切壁２２Ｂの空間２２０に臨む面にも、第１固定部２１がそれぞれ４つずつ設けられる（図５参照）。これら１６個の第１固定部２１は、半円柱状のボスの内周面にねじ山が形成された雌ねじで構成され、後から前に向かってねじ（雄ねじ）がねじ込まれるように形成される。
【００２３】
第２固定部２４は、図６Ａに示すように、上側壁２００及び下側壁２０１の前面に、それぞれ３つずつ設けられる。また、第１仕切壁２２Ａ及び第２仕切壁２２Ｂの前面にも、第２固定部２４がそれぞれ３つずつ設けられる（図６Ａ参照）。これら１２個の第２固定部２４は、半円柱状のボスの内周面にねじ山が形成された雌ねじで構成され、前から後に向かってねじ（雄ねじ）がねじ込まれるように形成される。
【００２４】
第３固定部２５は、図６Ａに示すように、上側壁２００及び下側壁２０１の前面における左右両端に、それぞれ１つずつ設けられる。また、第１仕切壁２２Ａ及び第２仕切壁２２Ｂの前面における左右両端にも、第３固定部２５がそれぞれ１つずつ設けられる（図６Ｂ参照）。これら８個の第３固定部２５は、半円柱状のボスの内周面にねじ山が形成された雌ねじで構成され、前から後に向かってねじ（雄ねじ）がねじ込まれるように形成される（図６Ａ〜図６Ｄ参照）。
【００２５】
第４固定部２６は、図６Ａに示すように、上側壁２００及び下側壁２０１の内側の側面に、それぞれ４つずつ設けられる。また、第１仕切壁２２Ａ及び第２仕切壁２２Ｂの第１窓孔２０４〜第４窓孔２０７に臨む面にも、第４固定部２６がそれぞれ４つずつ設けられる（図３及び図６Ａ参照）。これら１６個の第４固定部２６は、半円柱状のボスの内周面にねじ山が形成された雌ねじで構成され、前から後に向かってねじ（雄ねじ）がねじ込まれるように形成される。
【００２６】
軸受け部２７は、図６Ａ〜図６Ｄに示すように、円筒形状の外郭２７０と、外郭２７０の中心に設けられる雌ねじ部２７１とを有する。また、軸受け部２７は、支持片２７２によって枠部２０に支持されることが好ましい。支持片２７２は、軸受け部２７の軸方向（左右方向）からみて略台形状に形成される（図６Ｃ、図６Ｄ参照）。また、支持片２７２の左右両側には、それぞれ一対の補強リブ２７３、２７４が設けられている（図６Ｂ参照）。
【００２７】
支持部材４は、図１及び図３に示すように、固定板４０と、固定板４０の左右両端から上向きに立ち上がる一対のアーム片４１とが金属板によって一体に形成されている。固定板４０は、略中心に円形の固定孔４００が貫通し、固定孔４００よりも後方に、固定孔４００を中心とする半円弧状の長孔４０１が貫通している。そして、固定孔４００に挿通されるボルトと、長孔４０１に挿通されるボルトで固定板４０が照明台などに固定される。また、長孔４０１に挿通されるボルトを緩めることにより、支持部材４の向き(光源ユニット１の光軸の向き)を略１８０度の範囲で変更することができる。
【００２８】
一対のアーム片４１は、先端部に円形の挿通孔４１０がそれぞれ貫通している。そして、挿通孔４１０に挿通されるボルト４３が、軸受け部２７の雌ねじ部２７１にねじ込まれる。つまり、支持部材４は、一対の軸受け部２７を介して器具本体２と結合され、かつ、雌ねじ部２７１にねじ込まれるボルト４３を回転軸として器具本体２を回転可能に支持することができる（図２Ａ及び図２Ｂ参照）。なお、左側の軸受け部２７には円盤状の目盛板４２が取り付けられる。この目盛板４２には、ボルト４３を中心とする角度の目盛りが刻印されており、アーム片４１に対する器具本体２の角度が読み取れるように構成されている（図２Ｂ参照）。
【００２９】
パネルユニット３は、図１に示すように、２枚のパネル３０と、２つのパネル押さえ３１と、２つのパネルパッキン３２とを有する。各パネル３０は、例えば、アクリル樹脂やポリカーボネート樹脂などの透光性を有する合成樹脂材料、あるいは、ガラスなどの透光性材料で矩形の平板状に形成される。また、各パネル３０は、２つの窓孔（第１窓孔２０４と第２窓孔２０５及び第３窓孔２０６と第４窓孔２０７）を共通かつ前方から覆うことができる寸法に形成されることが好ましい。さらに、各パネル３０は、長手方向に沿った上縁及び下縁に、それぞれ半球状の切欠３００が３つずつ間隔を空けて設けられている。
【００３０】
各パネルパッキン３２は、シリコーンゴムなどの弾性を有する材料で矩形の枠状に形成される。また、各パネルパッキン３２の内周面には、パネル３０の周部が嵌め込まれる溝３２１が全周に渡って形成されている（図４参照）。さらに、各パネルパッキン３２は、長手方向に沿った上縁及び下縁において、パネル３０の切欠３００と重なる位置に、それぞれ半球状の切欠３２０が３つずつ間隔を空けて設けられている。
【００３１】
各パネル押さえ３１は、図１に示すように、矩形枠状の押さえ片３１０と、押さえ片３１０の四隅を除く外周縁から後方に突出する４つの突片３１１とを有する。なお、押さえ片３１０と４つの突片３１１とは、ステンレス鋼板などの金属板によって一体に形成されることが好ましい。また、押さえ片３１０は、四隅にそれぞれ第１ねじ挿通孔３１２が設けられ、左右方向に隣り合う２つの第１ねじ挿通孔３１２の間に、それぞれ３つの第２ねじ挿通孔３１３が等間隔に並ぶように設けられる（図１及び図３参照）。
【００３２】
保護カバー５は、図１及び図２Ｂに示すように、一対の第１カバー体５０と、一対の第２カバー体５１とで箱形に形成される。一対の第１カバー体５０は、保護カバー５の左右の壁を構成し、一対の第２カバー体５１は、保護カバー５の上下の壁及び後の壁（底壁）を構成する。
【００３３】
第１カバー体５０は、図１に示すように、ステンレス鋼板などの金属板により、矩形の平板状に形成される。第１カバー体５０は、前側の辺を除く３つの辺から、それぞれ幅細の固定片５００が突出する。これら３つの固定片５００には、それぞれ複数（２つ又は４つ）のねじ挿通孔５０１が長手方向に並ぶように設けられる。また、第１カバー体５０は、前端側における上下方向の中央付近に、台形状の切欠部５０２が設けられている。
【００３４】
第２カバー体５１は、矩形の横板５１０と、矩形の縦板５１１とを有し、横板５１０の後端縁から縦板５１１が立ち上がるように構成されている。なお、横板５１０と縦板５１１は、ステンレス鋼板などの金属板によって一体に形成されることが好ましい。横板５１０は、左右両側の２つの辺から、それぞれ幅細の固定片５１００が突出する。これら２つの固定片５１００には、それぞれ複数（２つ）のねじ孔５１０１が前後方向の両端に設けられる。また、横板５１０は、前端側における左右方向の中央付近に、六角形状の凹部５１０２が設けられている。さらに、横板５１０は、前端部分における凹部５１０２の左右両側に、ねじ挿通孔５１０３がそれぞれ２つずつ、等間隔に並ぶように設けられている。
【００３５】
縦板５１１は、左右両側の端部に、それぞれ２つのねじ孔５１１０が上下方向に間隔を空けて並ぶように設けられる。また、上側の第２カバー体５１の縦板５１１は、下端側における左右方向の中央付近に、矩形の切欠５１１１が設けられている。同様に、下側の第２カバー体５１の縦板５１１は、上端側における左右方向の中央付近に、矩形の切欠５１１１が設けられている。さらに、第２カバー体５１は、切欠５１１１の左右両側に矩形の切り溝５１１２がそれぞれ設けられている。またさらに、第２カバー体５１は、それぞれ切り溝５１１２の近くにねじ挿通孔５１１３が１つずつ設けられている。
【００３６】
第１カバー体５０の上下の固定片５００がそれぞれ２つの第２カバー体５１の横板５１０の固定片５１００にねじ止めされ、第１カバー体５０の後の固定片５００がそれぞれ２つの第２カバー体５１の縦板５１１にねじ止めされて保護カバー５が組み立てられる。このように構成される保護カバー５は、図２Ａ及び図２Ｂに示すように、４つの光源ユニット１の放熱ブロック１１を覆うように、器具本体２に取り付けられる。ただし、保護カバー５には、放熱ブロック１１から放射される熱を逃がすため、多数の通気孔５２が上下、左右及び前後に並ぶように設けられている（図１、図２Ａ及び図２Ｂ参照）。
【００３７】
結線ボックス６は、図１に示すように、ボックス本体６０、蓋６１、端子台６２、ボックスパッキン６３、ケーブル保持部６４などを備える。ボックス本体６０は、アルミダイカストによって後面が開口した矩形の箱状に形成されることが好ましい。また、ボックス本体６０は、開口端（後端）の全周に渡って矩形枠状の外鍔６００が一体に形成されている。外鍔６００の四隅にそれぞれねじ孔６０１が設けられている。
【００３８】
さらに、ボックス本体６０は、前面（底面）に２つの導入口６０２が左右方向に並べて設けられている。これら２つの導入口６０２には、光源ユニット１への給電用の電気ケーブルがそれぞれ挿通される。また、これらの導入口６０２は、ボックス本体６０の内底面にねじ止めされるケーブル保持部６４によって電気ケーブルとの間の隙間が塞がれる。なお、このようなケーブル保持部６４は、例えば、防水型のケーブルグランドで構成されることが好ましい。さらに、ボックス本体６０は、下面の中央に引き込み口が設けられている。この引き込み口を通して電源ケーブルが引き込まれる。なお、この引き込み口は、防水型のケーブルグランド６５によって電源ケーブルとの間の隙間が塞がれる（図２Ｂ参照）。
【００３９】
端子台６２は、ボックス本体６０の内底面にねじ止めされる。この端子台６２は、複数対のねじ端子を備え、それぞれのねじ端子に電源ケーブルの導体と電気ケーブルの導体とが電気的に接続される。つまり、外部に設置されている電源ユニットから電源ケーブルを介して供給される電力（直流電力）が、端子台６２から電気ケーブルを介して４つの光源ユニット１にそれぞれ給電される。
【００４０】
蓋６１は、アルミダイカストにより、縦横寸法がボックス本体６０の外鍔６００の縦横寸法にほぼ等しい矩形板状に形成されている。また、蓋６１の四隅にそれぞれねじ挿通孔６１０が設けられている（図１参照）。ボックスパッキン６３は、シリコーンゴムなどの弾性材料によって矩形の枠状に形成される。ボックスパッキン６３は、外鍔６００の表面（後面）に形成された凹所に嵌め込まれる。蓋６１は、後方から外鍔６００に被せられ、ねじ挿通孔６１０に挿通される４本のねじが外鍔６００の四隅のねじ孔６０１にねじ込まれてボックス本体６０に固定される。そして、蓋６１と外鍔６００との間の隙間がボックスパッキン６３で塞がれる。
【００４１】
ところで、ボックス本体６０の前面（外側の底面）における左右両端には、左右方向に沿って外向きに突出する、一対の取付片６０３が上下方向に並ぶようにそれぞれ設けられている（図１参照）。また、これら４つの取付片６０３の先端部には、それぞれねじ孔６０４が設けられている。
【００４２】
次に、本実施形態に係る照明器具Ａの組立手順を説明する。ただし、以下に説明する組立手順は一例であり、いくつかの手順が入れ替えられても構わない。なお、器具本体２には、先に支持部材４が取り付けられていることが好ましい。
【００４３】
まず、組立作業の作業者は、放熱ブロック１１のベース部１１０に２つのＬＥＤモジュール１０をねじ止めして取り付ける。また、作業者は、２つのＬＥＤモジュール１０のそれぞれの速結端子台１０２に電気ケーブルの電線６５（の導体）をそれぞれ電気的に接続する。続いて、作業者は、放熱ブロック１１のベース部１１０に防水パッキン１３を装着する。つまり、図４に示すように、作業者は、防水パッキン１３の凹所１３０にベース部１１０を全周に渡って嵌め込めばよい。そして、作業者は、防水パッキン１３の外周面に形成されている溝１３１に、器具本体２の上側壁２００及び下側壁２０１の後端から第１〜第４窓孔２０４〜２０７の方へ突出する部分を挿入する（図４参照）。さらに、作業者は、防水パッキン１３の後端側の溝１３２に、押さえ金具１４の押さえ片１４０を差し込み、押さえ金具１４の固定片１４１のねじ挿通孔１４１０に挿通したねじを器具本体２の第１固定部２１にねじ込む。その結果、ベース部１１０は、防水パッキン１３を介して、器具本体２の枠部２０及び仕切壁（第１仕切壁２２Ａ、第２仕切壁２２Ｂ）と押さえ金具１４の押さえ片１４０とに挟み込まれ、器具本体２に固定される（図４参照）。さらに、作業者は、速結端子台１０２に接続されている電気ケーブルの電線６５を、上側壁２００のケーブル挿通孔２００１及び下側壁２０１のケーブル挿通孔に挿通して枠部２０の外にそれぞれ引き出す。このとき、作業者は、第１窓孔２０４及び第２窓孔２０５の位置に取り付けられた２つの光源ユニット１の電気ケーブルを、上側壁２００のケーブル挿通孔２００１に挿通して枠部２０の外に引き出す。一方、作業者は、第３窓孔２０６及び第４窓孔２０７の位置に取り付けられた２つの光源ユニット１の電気ケーブルを、下側壁２０１のケーブル挿通孔に挿通して枠部２０の外に引き出す。なお、２つの速結端子台１０２は、実装基板１０１の長手方向に対して傾くように実装されている。そのため、作業者は、それぞれのＬＥＤモジュール１０の１つの速結端子台１０２に差し込み接続する電線６５をケーブル挿通孔２００１に挿通するに当たり、電線６５を急激に曲げずに緩やかに曲げればよい。その結果、電線６５や速結端子台１０２に加わる力を抑えることができる。
【００４４】
さらに、作業者は、上側壁２００及び下側壁２０１のねじ孔２００２にケーブルグランド２０８をねじ止めする（図９Ａ参照）。それから、作業者は、器具本体２の第４固定部２６にレンズブロック１２をねじ止めする。このようにして、器具本体２への光源ユニット１の取付が完了する。
【００４５】
次に、作業者は、パネルパッキン３２の内周面の溝３２１にパネル３０の周部を嵌め込み、器具本体２の枠部２０内に前方から、パネル３０及びパネルパッキン３２を挿入する（図７参照）。そして、作業者は、パネルパッキン３２の前面側にパネル押さえ３１を被せ、四隅の第１ねじ挿通孔３１２に挿通したねじを器具本体２の第３固定部２５にねじ込み、かつ、第２ねじ挿通孔３１３に挿通したねじを器具本体２の第２固定部２４にねじ込む。このようにして、パネル３０及びパネルパッキン３２は、器具本体２とパネル押さえ３１との間に挟み込まれて器具本体２に固定される（図４参照）。このようにして、器具本体２へのパネルユニット３の取付が完了する（図７、図８及び図９Ａ、図９Ｂ参照）。
【００４６】
次に、作業者は、枠部２０の外に引き出した電気ケーブルをボックス本体６０の導入口６０２からボックス本体６０内に導入し、電気ケーブルの電線６５を端子台６２のねじ端子に結線する。
【００４７】
続いて、作業者は、第２カバー体５１を器具本体２に取り付ける。始めに、作業者は、横板５１０の前方のねじ挿通孔５１０３にそれぞれ挿通したねじを、下側壁２０１の下面のねじ孔にそれぞれねじ込むことで下側壁２０１に第２カバー体５１を取り付ける。続いて、作業者は、この第２カバー体５１の縦板５１１の切り溝５１１２にボックス本体６０の取付片６０３を挿入し、後方から縦板５１１のねじ挿通孔５１１３に挿通したねじを、取付片６０３のねじ孔６０４にねじ込む。次に、作業者は、横板５１０の前方のねじ挿通孔５１０３にそれぞれ挿通したねじを、上側壁２００の上面のねじ孔２００３にそれぞれねじ込むことで上側壁２００に第２カバー体５１を取り付ける。続いて、作業者は、この第２カバー体５１の縦板５１１の切り溝５１１２にボックス本体６０の取付片６０３を挿入し、後方から縦板５１１のねじ挿通孔５１１３に挿通したねじを、取付片６０３のねじ孔６０４にねじ込む。このようにして、一対の第２カバー体５１に結線ボックス６が取り付けられる。ただし、作業者は、一対の第２カバー体５１に結線ボックス６を取り付けた後、これら一対の第２カバー体５１を器具本体２に取り付けてもよい。
【００４８】
次に、作業者は、２つの第１カバー体５０を、一対の第２カバー体５１の左右両側にそれぞれ取り付ける。すなわち、作業者は、第１カバー体５０の上下２つの固定片５００の２つのねじ挿通孔５０１に挿通した４本のねじを、２つの第２カバー体５１の上下２つの固定片５１００の２つのねじ孔５０１０にそれぞれねじ込む。さらに、作業者は、第１カバー体５０の後の固定片５００の４つのねじ挿通孔５０１に挿通した４本のねじを、２つの第２カバー体５１の縦板５１１の２つのねじ孔５１１０にそれぞれねじ込む。このようにして、２つの第１カバー体５０が２つの第２カバー体５１と結合されて保護カバー５が組み立てられ、かつ、保護カバー５が器具本体２に取り付けられる（図２参照）。
【００４９】
以上のような手順で本実施形態に係る照明器具Ａが組み立てられる。
【００５０】
ところで、本実施形態に係る照明器具Ａがスタジアムの照明（投光照明）に用いられる場合、複数台の照明器具Ａが横（左右）方向に並べて設置される可能性が高い。また、スタジアムなどの施設において、照明器具が設置可能なスペースには限りがある。したがって、照明器具は、できるだけ小型であることが望まれる。例えば、保護カバー５の左右方向の大きさ（長さ）が同じであれば、器具本体２の軸受け部２７の突出量が少ないほど、照明器具Ａの小型化を図ることができる。
【００５１】
そこで、本実施形態に係る照明器具Ａは、図９Ａ及び図９Ｂに示すように、放熱板１１１と一対のアーム片４１との間に、保護カバー５の第１カバー体５０が配置される。さらに、本実施形態に係る照明器具Ａは、ボルト４３（回転軸）の軸方向（左右方向）に沿って、第１カバー体５０（の切欠部５０２）と軸受け部２７とが重なるように構成される。したがって、本実施形態に係る照明器具Ａは、保護カバー５（の第１カバー体５０）に対する軸受け部２７の突出量が少なくなるので、小型化が可能になり、かつ、外観上の見栄えの向上を図ることができる。
【００５２】
さらに、第１カバー体５０（の切欠部５０２）は、ボルト４３の周方向に沿って軸受け部２７の周囲（ただし、支持片２７２を除く）を囲むように構成されている（図２Ａ参照）。つまり、軸受け部２７は、支持片２７２と繋がっている部分を除く周囲を第１カバー体５０に覆い隠されるので、第１カバー体５０の内側に隠れる部分の寸法が大きくされても、照明器具Ａの外観に影響を及ぼさない。ゆえに、本実施形態に係る照明器具Ａは、外観上の見栄えの向上を図りつつ、軸受け部２７の強度の向上を図ることもできる。
【００５３】
上述のように本実施形態に係る照明器具Ａは、光源ユニット１と、光源ユニット１を支持する器具本体２と、器具本体２を回転可能に支持する支持部材４と、保護カバー５とを有する。光源ユニット１は、複数個の固体発光素子（ＬＥＤ１００）と、複数個のＬＥＤ１００が実装される実装基板１０１と、実装基板１０１のＬＥＤ１００の実装面と反対側の面に熱的に結合される放熱部材（放熱ブロック１１）とを備える。放熱ブロック１１は、前面に実装基板１０１が取り付けられるベース部１１０と、ベース部１１０の後面から後方に突出する複数の放熱板１１１とを有する。支持部材４は、構造物に固定される固定板４０と、固定板４０から立ち上がる一対のアーム片４１とを有する。器具本体２は、一対のアーム片４１の先端部に設けられる回転軸（ボルト４３）をそれぞれ回転可能に支持する一対の軸受け部２７を有する。保護カバー５は、少なくとも放熱板１１１と一対のアーム片４１との間に配置され、かつ、ボルト４３の軸方向に沿って軸受け部２７と重なるように構成される。
【００５４】
本実施形態に係る照明器具Ａが上述のように構成されれば、保護カバー５に対する軸受け部２７の突出量が少なくなるので、見栄えの向上と設置スペースの縮小化を図ることができる。
【００５５】
また、本実施形態に係る照明器具Ａにおいて、保護カバー５は、回転軸（ボルト４３）の周方向に沿って軸受け部２７の周囲を囲むように構成されることが好ましい。
【００５６】
本実施形態に係る照明器具Ａが上述のように構成されれば、外観上の見栄えの向上を図りつつ、軸受け部２７の強度の向上を図ることもできる。
【符号の説明】
【００５７】
Ａ  照明器具
１  光源ユニット
２  器具本体
４  支持部材
５  保護カバー
１１  放熱ブロック（放熱部材）
２７  軸受け部
４１  アーム片
４３  ボルト（回転軸））
１００  ＬＥＤ（固体発光素子）
１０１  実装基板
【図１】
0006512513.tif 000002
【図２】
0006512513.tif 000003
【図３】
0006512513.tif 000004
【図４】
0006512513.tif 000005
【図５】
0006512513.tif 000006
【図６】
0006512513.tif 000007
【図７】
0006512513.tif 000008
【図８】
0006512513.tif 000009
【図９】
0006512513.tif 000010